(57)【要約】【課題】送信周波数と受信周波数との同調の確認を利用者に強いることなく、受信装置側において出力が所望される音声信号を適切に出力できる送信装置を提供する。【解決手段】周波数変調した搬送波をＦＭオーディオ装置２に送信する携帯通信装置１である。試験音声データ５２を含む搬送波の送信後にＦＭオーディオ装置２から出力された音声信号を取得するマイク９と、マイク９が取得した音声信号に基づき、ＦＭオーディオ装置２にて設定した受信周波数と試験音声データ５２を送信した送信周波数とが同調しているか否かを判定する音声確認部３４と、受信周波数と送信周波数とが同調していないと判定した場合、送信周波数の変更を指示する周波数設定部３５とを備える。【選択図】図１
2008187301.tif 000002
【特許請求の範囲】
【請求項１】
周波数変調した搬送波を、該搬送波の受信状態に応じて音声信号を出力する受信装置に送信する送信装置であって、
上記搬送波の送信後に上記受信装置から出力された音声信号を取得する取得部と、
上記取得部が取得した音声信号に基づき、上記受信装置において設定された上記搬送波を受信する周波数である受信周波数と上記搬送波を送信する周波数である送信周波数とが同調しているか否かを判定する判定手段と、
上記判定手段による判定結果において、上記受信周波数と上記送信周波数とが同調していないと判定した場合、該送信周波数の変更を指示する変更指示手段とを備え、
上記判定手段により上記受信周波数と上記送信周波数とが同調していると判定した場合、上記受信装置において出力が所望される音声信号を該送信周波数で送信することを特徴とする送信装置。
【請求項２】
上記搬送波に、送信周波数と受信周波数との同調を確認するために利用する確認用音声信号を含めて上記受信装置に送信しており、
上記受信装置は、上記確認用音声信号を受信すると該確認用音声信号に基づく確認用音声を出力するように構成されており、
上記判定手段は、上記取得部により取得された上記確認用音声と、搬送波に含めて送信した確認用音声信号の音声とを比較し、両者の一致度に応じて上記送信周波数と上記受信周波数とが同調しているか否かを判定することを特徴とする請求項１に記載の送信装置。
【請求項３】
上記受信装置は、ホワイトノイズを出力しており、上記送信周波数に応じた受信周波数を設定している場合に上記搬送波を受信したとき上記ホワイトノイズの出力が停止されるように構成されており、
上記判定手段は、上記取得部により取得された受信装置から出力された音声がホワイトノイズを含むものであるか否かに応じて、上記送信周波数と上記受信周波数とが同調しているか否かを判定することを特徴とする請求項１に記載の送信装置。
【請求項４】
送信周波数として設定できる周波数の候補を示す周波数情報を記憶する周波数情報記憶装置をさらに備え、
上記変更指示手段は、上記周波数情報記憶装置に記憶された周波数情報を参照し、新たな送信周波数を選択して送信周波数の変更を指示することを特徴とする請求項１〜３のいずれか１項に記載の送信装置。
【請求項５】
上記搬送波の送信制御を行う送信部と、
上記送信部に搬送波の送信制御を指示するとともに、上記取得部および上記判定手段の実行開始を指示する指示手段を備えることを特徴とする請求項１〜４のいずれか１項に記載の送信装置。
【請求項６】
上記請求項１〜５のいずれか１項に記載の送信装置と、
上記送信装置から所定の送信周波数で周波数変調した搬送波によって送信された音声信号を受信し、該音声信号に基づく音声を出力する受信装置とを備えたことを特徴とする再生システム。
【請求項７】
所定の周波数である送信周波数で周波数変調した搬送波を、該搬送波の受信状態に応じて音声信号を出力する受信装置に送信する送信装置の制御方法であって、
上記搬送波の送信後に上記受信装置から出力された音声信号を取得するステップと、
取得した上記音声信号に基づき、上記受信装置において設定されている受信周波数と上記送信周波数とが同調しているか否かを判定するステップと、
上記受信周波数と上記送信周波数との同調を判定するステップにおいて、上記受信周波数と上記送信周波数とが同調していないと判定した場合、該送信周波数の変更を指示するステップと、
上記受信周波数と上記送信周波数との同調を判定するステップにおいて、上記受信周波数と上記送信周波数とが同調していると判定した場合、上記受信装置において出力が所望される音声信号を該送信周波数で送信するステップと、を含むことを特徴とする送信装置の制御方法。
【請求項８】
請求項１〜５のいずれか１項に記載の送信装置を動作させる制御プログラムであって、コンピュータを上記各手段として機能させるための送信装置の制御プログラム。
【請求項９】
請求項８に記載の送信装置の制御プログラムを記録したコンピュータ読み取り可能な記録媒体。
【発明の詳細な説明】
【技術分野】
【０００１】
本発明は、周波数変調した搬送波を、該搬送波の受信状態に応じて音声信号を出力する受信装置に送信する送信装置、再生システム、送信装置の制御方法、送信装置の制御プログラム、および送信装置の制御プログラムを記録した記録媒体に関するものである。
【背景技術】
【０００２】
小さなスピーカを内蔵する携帯型音楽再生装置から出力される音声を、より高音質で視聴することが所望される場面がある。このように音声を高音質で視聴することが求められるような場面では、該音声をより大きなスピーカを搭載したラジオ受信機（受信装置）に送信し再生させる再生システムが利用されている。
【０００３】
この再生システムでは、ＦＭトランスミッタが、携帯型音楽再生装置が保持する音声信号をＦＭ周波数に変調し、ラジオ受信機のラジオアンテナに送信することで、音声信号のラジオ受信器への送信を実現する。
【０００４】
ところで、ＦＭトランスミッタを利用して音声信号をラジオ受信機に送信するためには、送信側（ＦＭトランスミッタ）における音声信号の送信周波数と、受信側（ラジオ受信機）における該音声信号の受信周波数とを同調させる必要がある。なお、本明細書では、ＦＭトランスミッタからＦＭラジオに対して音声信号を送信する際に利用する周波数を送信周波数と称する。一方、所定の周波数で送信される音声信号を受信できるようにラジオ受信機側にて設定する周波数を受信周波数と称する。
【０００５】
そこで、従来では、ラジオ受信機に音声信号を送信するためにＦＭトランスミッタを利用する利用者が、ラジオ受信機の受信周波数を、ＦＭトランスミッタの送信周波数に同調するように設定していた。
【０００６】
例えば特許文献１では、ラジオ受信機側において、受信周波数帯をＦＭバンドに切り換える周波数帯切換手段と、受信周波数を所定のＦＭトランスミッタの送信周波数に同調させる周波数同調手段と、受信再生出力を電力増幅器に入力する入力手段とを備えたＦＭワイヤレス再生装置が開示されている。このＦＭワイヤレス再生装置では、これら周波数帯切換手段、周波数同調手段、および入力手段を駆動手段により同時に駆動させることができるように構成されている。
【０００７】
そして、ラジオ受信機側において受信周波数をＦＭトランスミッタの送信周波数に同調するように設定すると、上記利用者は、ラジオ受信機によって再生した音声を視聴し、ラジオ受信機に送信した音声信号と再生された音声の音声信号とが一致するか否かを確認していた。
【特許文献１】実開昭６２−１１９０３５号公開（１９８７年０７月２８日）
【発明の開示】
【発明が解決しようとする課題】
【０００８】
しかしながら、上記従来の構成では、送信周波数と受信周波数との同調の確認を利用者に強いるとともに、受信装置側において再生が所望される音声信号を適切に再生することができないという問題を生じる。
【０００９】
具体的には、上記従来の構成では、ＦＭトランスミッタ側の送信周波数と受信装置側の受信周波数とが一致するか否かについての確認を利用者に強いる構成である。また、受信装置側において、再生が所望される音声信号が上手く再生されているか否かにより上記送信周波数と上記受信周波数との同調を確認する構成でもある。
【００１０】
つまり、送信周波数と受信周波数とが同調しているか否かを判定するために再生が所望される音声信号を利用しているため、例えば再生が所望される音声信号の再生開始部分が受信装置において再生されない場合がある。
【００１１】
本発明は、上記の問題点に鑑みてなされたものであり、その目的は、送信周波数と受信周波数との同調の確認を利用者に強いることなく、受信装置側において出力が所望される音声信号を適切に出力できる送信装置、再生システム、送信装置の制御方法、送信装置の制御プログラム、送信装置の制御プログラムを記録した記録媒体実現することにある。
【課題を解決するための手段】
【００１２】
本発明に係る送信装置は、上記した課題を解決するために、周波数変調した搬送波を、該搬送波の受信状態に応じて音声信号を出力する受信装置に送信する送信装置であって、上記搬送波の送信後に上記受信装置から出力された音声信号を取得する取得部と、上記取得部が取得した音声信号に基づき、上記受信装置において設定された上記搬送波を受信する周波数である受信周波数と上記搬送波を送信する周波数である送信周波数とが同調しているか否かを判定する判定手段と、上記判定手段による判定結果において、上記受信周波数と上記送信周波数とが同調していないと判定した場合、該送信周波数の変更を指示する変更指示手段とを備え、上記判定手段により上記受信周波数と上記送信周波数とが同調していると判定した場合、上記受信装置において出力が所望される音声信号を該送信周波数で送信することを特徴とする。
【００１３】
上記構成によると、取得部を備えているため搬送波の送信後に受信装置から出力された音声信号を取得することができる。また、判定手段を備えているため、上記取得部により取得した音声信号から、送信周波数と受信周波数とが同調しているか否かを判定することができる。
【００１４】
例えば、受信装置から出力された音声信号が、送信装置から送信した搬送波に含まれる音声信号と一致する場合、送信装置から送信した音声信号を受信装置が受信できたことが分かる。つまり、音声信号を搬送する搬送波の送信周波数と、受信装置において設定された受信周波数とが同調していることが分かる。
【００１５】
また、例えば、上記送信装置から送信する搬送波を確度よく受信できない間、受信装置はホワイトノイズを出力し、搬送波を確度よく受信した場合このホワイトノイズの出力が停止されるように構成されているとする。このような構成の場合、取得部により取得した音声がホワイトノイズを含むか否かにより上記判定手段は、送信周波数と受信周波数とが同調しているか否かを判定することができる。
【００１６】
また、変更指示手段を備えているため、上記判定手段により送信周波数と受信周波数とが同調していないと判定された場合、受信周波数に同調するように送信周波数を変更するように指示することができる。
【００１７】
このように、本発明に係る送信装置は、上記受信装置において出力が所望される音声信号を送信する前に送信周波数と受信周波数とが同調するか否か確認することができる。さらには、送信周波数と受信周波数とが同調しない場合、送信周波数を変更し送信周波数と受信周波数とが同調するように設定することができる。このため、送信周波数と受信周波数とが確実に同調した状態で、送信装置は、受信装置において出力が所望される音声信号を送信することができる。
【００１８】
したがって、本発明に係る送信装置は、送信周波数と受信周波数との同調の確認を利用者に強いることなく、受信装置において出力が所望される音声信号を適切に出力させることができるという効果を奏する。
【００１９】
また、本発明に係る送信装置は、上記した構成において、上記搬送波に、送信周波数と受信周波数との同調を確認するために利用する確認用音声信号を含めて上記受信装置に送信しており、上記受信装置は、上記確認用音声信号を受信すると該確認用音声信号に基づく確認用音声を出力するように構成されており、上記判定手段は、上記取得部により取得された上記確認用音声と、搬送波に含めて送信した確認用音声信号の音声とを比較し、両者の一致度に応じて上記送信周波数と上記受信周波数とが同調しているか否かを判定するように構成されていることが好ましい。
【００２０】
上記構成によると、上記判定手段は、上記取得部により取得された上記確認用音声と、搬送波に含めて送信した確認用音声信号の音声とを比較し記送信周波数と上記受信周波数とが同調しているか否かを判定することができる。
【００２１】
すなわち、受信装置から出力される音声信号が、送信装置から送信した確認用音声信号と一致する場合、送信装置から送信した確認用音声信号を受信装置が受信できたことが分かる。つまり、確認用音声信号を搬送する搬送波の送信周波数と、受信装置において設定された受信周波数とが同調していることが分かる。
【００２２】
また、本発明に係る送信装置は、上記した構成において、上記受信装置は、ホワイトノイズを出力しており、上記送信周波数に応じた受信周波数を設定している場合に上記搬送波を受信したとき上記ホワイトノイズの出力が停止されるように構成されており、上記判定手段は、上記取得部により取得された受信装置から出力された音声がホワイトノイズを含むものであるか否かに応じて、上記送信周波数と上記受信周波数とが同調しているか否かを判定するように構成されていることが好ましい。
【００２３】
上記構成によると、上記受信装置は、搬送波を送信した送信周波数と該搬送波を受信した受信周波数とが同調している場合、ホワイトノイズの出力が停止される。このため、上記取得部により取得された音声がホワイトノイズを含むものであるか否かにより、送信周波数と受信周波数とが同調したか否かを確認することができる。
【００２４】
また、本発明に係る送信装置は、上記した構成において、送信周波数として設定できる周波数の候補を示す周波数情報を記憶する周波数情報記憶装置をさらに備え、上記変更指示手段は、上記周波数情報記憶装置に記憶された周波数情報を参照し、新たな送信周波数を選択して送信周波数の変更を指示するように構成されていることが好ましい。
【００２５】
上記構成によると、周波数情報記憶装置を備えているため、受信周波数と同調する送信周波数の候補を容易に選択することができる。このため、変更指示手段は、送信周波数の変更を効率よく指示することができる。
【００２６】
また、本発明に係る送信装置は、上記した構成において、上記搬送波の送信制御を行う送信部と、上記送信部に搬送波の送信制御を指示するとともに、上記取得部および上記判定手段の実行開始を指示する指示手段を備えるように構成されていることが好ましい。
【００２７】
上記構成によると、上記指示手段を備えるため、搬送波の送信制御指示時に応じて、上記取得部および上記判定手段を実行させることができる。このため、搬送波の送信とともに、該搬送波の受信に伴い受信装置から出力される音声信号に基づき送信周波数と受信周波数とが同調しているか否かを効率的に判定することができる。
【００２８】
本発明に係る再生システムは、上記した課題を解決するために、周波数変調した搬送波の送信後に受信装置から出力された音声信号を取得する取得部と、上記取得部が取得した音声信号に基づき、上記受信装置において設定された上記搬送波を受信する周波数である受信周波数と上記搬送波を送信する周波数である送信周波数とが同調しているか否かを判定する判定手段と、上記判定手段による判定結果において、上記受信周波数と上記送信周波数とが同調していないと判定した場合、該送信周波数の変更を指示する変更指示手段とを備えた送信装置と、上記送信装置から所定の送信周波数で周波数変調した搬送波によって送信された音声信号を受信し、該音声信号に基づく音声を出力する受信装置とを備えたことを特徴とする。
【００２９】
したがって、本発明に係る再生システムは、送信周波数と受信周波数との同調の確認を利用者に強いることなく、受信装置において出力が所望される音声信号を適切に出力させることができるという効果を奏する。
【００３０】
本発明に係る送信装置の制御方法は、上記した課題を解決するために、所定の周波数である送信周波数で周波数変調した搬送波を、該搬送波の受信状態に応じて音声信号を出力する受信装置に送信する送信装置の制御方法であって、上記搬送波の送信後に上記受信装置から出力された音声信号を取得するステップと、取得した上記音声信号に基づき、上記受信装置において設定されている受信周波数と上記送信周波数とが同調しているか否かを判定するステップと、上記受信周波数と上記送信周波数との同調を判定するステップにおいて、上記受信周波数と上記送信周波数とが同調していないと判定した場合、該送信周波数の変更を指示するステップと、上記受信周波数と上記送信周波数との同調を判定するステップにおいて、上記受信周波数と上記送信周波数とが同調していると判定した場合、上記受信装置において出力が所望される音声信号を該送信周波数で送信するステップと、を含むことを特徴とする。
【００３１】
上記方法では、上記受信装置から出力された音声信号を取得するステップにより搬送波の送信後に受信装置から出力された音声信号を取得することができる。
【００３２】
また、受信周波数と上記送信周波数とが同調しているか否かを判定するステップにおいて、上記受信装置から出力された音声信号を取得するステップにより取得した音声信号から、送信周波数と受信周波数とが同調しているか否かを判定することができる。このように、本発明に係る送信装置の制御方法は、上記受信装置において出力が所望される音声信号を送信する前に送信周波数と受信周波数とが同調するか否か確認することができる。
【００３３】
さらにまた上記受信周波数と上記送信周波数との同調を判定するステップにおいて、上記受信周波数と上記送信周波数とが同調していないと判定した場合、該送信周波数の変更を指示するステップにより、送信周波数と受信周波数とが同調するように設定することができる。このため、送信周波数と受信周波数とが確実に同調した状態で、送信装置は、受信装置において出力が所望される音声信号を送信することができる。
【００３４】
したがって、本発明に係る送信装置の制御方法は、送信周波数と受信周波数との同調の確認を利用者に強いることなく、受信装置において出力が所望される音声信号を適切に出力させることができるという効果を奏する。
【００３５】
なお、上記送信装置は、コンピュータによって実現してもよく、この場合には、コンピュータを上記各手段として動作させることにより上記送信装置をコンピュータにて実現させる送信装置の制御プログラム、およびそれを記録したコンピュータ読み取り可能な記録媒体も本発明の範疇に入る。
【発明の効果】
【００３６】
本発明に係る送信装置は、以上のように、周波数変調した搬送波を、該搬送波の受信状態に応じて音声信号を出力する受信装置に送信する送信装置であって、上記搬送波の送信後に上記受信装置から出力された音声信号を取得する取得部と、上記取得部が取得した音声信号に基づき、上記受信装置において設定された上記搬送波を受信する周波数である受信周波数と上記搬送波を送信する周波数である送信周波数とが同調しているか否かを判定する判定手段と、上記判定手段による判定結果において、上記受信周波数と上記送信周波数とが同調していないと判定した場合、該送信周波数の変更を指示する変更指示手段とを備え、上記判定手段により上記受信周波数と上記送信周波数とが同調していると判定した場合、上記受信装置において出力が所望される音声信号を該送信周波数で送信することを特徴とする。
【００３７】
したがって、本発明に係る送信装置は、送信周波数と受信周波数との同調の確認を利用者に強いることなく、受信装置において出力が所望される音声信号を適切に出力させることができるという効果を奏する。
【００３８】
本発明に係る再生システムは、以上のように、周波数変調した搬送波の送信後に受信装置から出力された音声信号を取得する取得部と、上記取得部が取得した音声信号に基づき、上記受信装置において設定された上記搬送波を受信する周波数である受信周波数と上記搬送波を送信する周波数である送信周波数とが同調しているか否かを判定する判定手段と、上記判定手段による判定結果において、上記受信周波数と上記送信周波数とが同調していないと判定した場合、該送信周波数の変更を指示する変更指示手段とを備えた送信装置と、上記送信装置から所定の送信周波数で周波数変調した搬送波によって送信された音声信号を受信し、該音声信号に基づく音声を出力する受信装置とを備えたことを特徴とする。
【００３９】
したがって、本発明に係る再生システムは、送信周波数と受信周波数との同調の確認を利用者に強いることなく、受信装置において出力が所望される音声信号を適切に出力させることができるという効果を奏する。
【００４０】
本発明に係る送信装置の制御方法は、以上のように、所定の周波数である送信周波数で周波数変調した搬送波を、該搬送波の受信状態に応じて音声信号を出力する受信装置に送信する送信装置の制御方法であって、上記搬送波の送信後に上記受信装置から出力された音声信号を取得するステップと、取得した上記音声信号に基づき、上記受信装置において設定されている受信周波数と上記送信周波数とが同調しているか否かを判定するステップと、上記受信周波数と上記送信周波数との同調を判定するステップにおいて、上記受信周波数と上記送信周波数とが同調していないと判定した場合、該送信周波数の変更を指示するステップと、上記受信周波数と上記送信周波数との同調を判定するステップにおいて、上記受信周波数と上記送信周波数とが同調していると判定した場合、上記受信装置において出力が所望される音声信号を該送信周波数で送信するステップと、を含むことを特徴とする。
【００４１】
したがって、本発明に係る送信装置の制御方法は、送信周波数と受信周波数との同調の確認を利用者に強いることなく、受信装置において出力が所望される音声信号を適切に出力させることができるという効果を奏する。
【発明を実施するための最良の形態】
【００４２】
本発明の一実施形態について図１ないし図８に基づいて説明すると以下の通りである。すなわち、本実施の形態に係る再生システム１００は、図２に示すように不図示の基地局を介して他通信装置と通信を確立する携帯通信装置１と、該携帯通信装置１から音声データを受け取り、該音声データに基づく音声を出力するＦＭオーディオ装置２とを備えてなる構成である。この図２は、本発明の実施形態を示すものであり、再生システム１００の概略構成を示す図である。
【００４３】
上記携帯通信装置１は、上述のように他の通信装置と通信を確立し、通話を行ったり、ｅ−メール、音声データ、画像データ等の送受信を行ったりすることができる。また、携帯通信装置１は、自装置で保持する音声データをＦＭ周波数に変調してＦＭオーディオ装置２に送信することもできる。より具体的には、携帯通信装置１は、上記ＦＭＴＸ用アンテナ３を介して、７６〜９０ＭＨｚの周波数範囲の搬送波によって音声データをＦＭオーディオ装置２に送信する。
【００４４】
一方、ＦＭオーディオ装置２は、携帯通信装置１から音声データを受信すると、自装置が備えるスピーカ（不図示）から、この音声データに基づく出力処理するものである。
【００４５】
（携帯通信装置のハードウェア構成）
ここで、上記携帯通信装置１のハードウェア構成について図３を参照して説明する。なお、この図３は、本実施の形態に係る携帯通信装置１のハードウェア構成を示すブロック図である。
【００４６】
図３に示すように、本実施の形態に係る携帯通信装置１は、ＦＭＴＸ用アンテナ３、通信用アンテナ４、無線部５、信号処理部６、表示制御部７、スピーカ８、マイク９、表示部１０、操作部１１、第１メモリ１２、第２メモリ１３、および主制御部１４を備えてなる構成である。
【００４７】
上記ＦＭＴＸ用アンテナ３は、無線部５が備えるＦＭトランスミッタにより送信する搬送波をＦＭオーディオ装置２に対して出力するためのアンテナである。
【００４８】
上記通信用アンテナ４は、無線部５が備える通信制御部２０の制御の下、他の携帯通信装置から送信された通信電波を受信するためのアンテナである。
【００４９】
無線部５は、他の装置との通信を制御するためのものである。より具体的には、無線部５は、通信制御部２０およびＦＭトランスミッタ２２を備えている。この通信制御部２０は、上記通信用アンテナ４を制御して、例えば、他の携帯通信装置と通信を確立し通話を行ったりするものである。一方ＦＭトランスミッタ２２は、上記ＦＭＴＸ用アンテナ３を制御して、ＦＭオーディオ装置２に対してＦＭ周波数に変調した音声信号を送信するためのものである。
【００５０】
信号処理部６は、マイク９から入力された音声信号をアナログデータからデジタルデータに変換して当該携帯通信装置１において処理可能なデータ形式とするものである。また、スピーカに出力する音声信号をデジタルデータからアナログデータに変換してスピーカ８から出力できる形式に変換するものでもある。
【００５１】
表示制御部７は、主制御部１４からの指示に応じて表示部１０を制御して画像を表示させるものである。
【００５２】
スピーカ８は、信号処理部６によってアナログデータに変換され音声信号を出力するものである。マイク９は、本実施の形態に係る携帯通信装置１の外部に生じる音声の入力を受け付けるものである。
【００５３】
表示部１０は、表示制御部７による表示制御に応じて画像等を表示させるものであり、例えばＬＣＤ（liquid crystal displa）等によって実現できる。
【００５４】
操作部１１は、当該携帯通信装置１のユーザからの操作指示を受け付けるものであり、例えば、操作キー、テンキー、マウス、キーボード、タッチパネル等によって実現できる。
【００５５】
上記第１メモリ１２は、バッファ的な役割を果たすものであり、例えば、ＲＡＭ（random access memory）等によって実現される。また、第２メモリ１３は、恒久的にデータを蓄積する役割を果たすものであり、例えば、フラッシュメモリ等によって実現できる。なお、携帯通信装置１の記憶装置である第１メモリ１２および第２メモリ１３は、携帯通信装置１の仕様に応じて構成を適宜変更可能であり、例えば、一体として設けてもよい。
【００５６】
また、本実施の形態に係る携帯通信装置１では、上記第２メモリ１３に後述する「音声データ送信前処理」において利用する試験音声データ５２、および送信周波数情報５１を記憶している。この試験音声データ５２は、ＦＭオーディオ装置２が、携帯通信装置１から送信される音声データの送信周波数と同調しているか否かを確認するための音声データである。この試験音声データ５２は例えば、一定周期（例えば７００Ｈｚ）の音声データであってもよいし、「周波数の一致を確認します」といような内容の音声データであってもよい。
【００５７】
また、送信周波数情報５１は、ＦＭトランスミッタ２２が送信周波数として利用できる周波数の候補を示す情報である。すなわち、ＦＭオーディオ装置２において受信周波数として利用できる周波数が予め決められており、この受信周波数に応じた周波数が送信周波数情報５１として記録されている。
【００５８】
本実施の形態に係る携帯通信装置１では、ＦＭオーディオ装置２に対して音声信号を送信する際に利用する周波数を送信周波数と称する。一方、所定の周波数で送信される音声信号を受信できるように設定するＦＭオーディオ装置２側の周波数を受信周波数と称する。
【００５９】
また、上記第２メモリ１３は、ＦＭオーディオ装置２に送信し出力させるための音声データ５３も記録している。
【００６０】
上記主制御部１４は、当該携帯通信装置１が有する各部の各種制御を行うものであり、例えば、ＣＰＵ、マイクロコントローラ等によって実現できる。また、この主制御部１４は、ＣＰＵまたはマイクロコントローラによる擬似マルチタスク制御により各種処理を実行する。
【００６１】
このように各部を備える携帯通信装置１は、以下に示すような、通話機能、および音声データ転送機能などを実現することができる。
【００６２】
まず、携帯通信装置１では、無線部５が備える通信制御部２０による送受信制御のもとに、通信用アンテナ４を介して基地局（不図示）との信号の送受信を行う。そして、信号処理部６が通信制御部２０で送受信される信号に所定の信号処理を施す。これによって、基地局を介して相手側装置から送信されてくる音声をスピーカ８から出力したり、マイク９から入力される音声を、基地局を介して相手側装置に送信したりするようになっている。このようにして、携帯通信装置１は、通話機能を実現する。
【００６３】
また、携帯通信装置１では、主制御部１４からの制御指示により第２メモリ１３に格納されている音声データ５３を読み出し信号処理部６に出力する。なお、この読み出された音声データ５３は、ＭＰＥＧ−２システムで規定されたＴＳ（Transport Stream）として、信号処理部６に出力される。信号処理部６は、ＴＳとして多重化された各々の信号を出力信号群として再生し、ＦＭトランスミッタ（送信部）２２に送信する。
【００６４】
上記ＦＭトランスミッタ２２は、信号処理部６から上記音声データ５３の出力信号群である音声信号を受信すると、ＦＭＴＸ用アンテナ３を制御して、ＦＭオーディオ装置２に対してこの音声信号を送信する。
【００６５】
ＦＭオーディオ装置２では、携帯通信装置１から上記音声信号を受信すると、受信したこの音声信号に基づき出力する。このようにして、携帯通信装置１は、音声データ転送機能を実現する。なお、音声データ転送機能を実現する構成の詳細は後述する。
【００６６】
なお、携帯通信装置１が有する機能は、上記した通話機能、および音声データ転送機能に限定されるものではない。例えば、撮像部を備え、該撮像部によって撮影を行うカメラ機能、電子メールやＷｅｂページなど、テキストデータ、画像データ、あるいはＨＴＭＬデータを送受信するメール機能など他の機能が備えられた構成であってもよい。さらには、ＦＭＴＸ用アンテナ３が、デジタルテレビ受信用にも共用できるものである場合、このＦＭＴＸ用アンテナ３を介してデジタル放送の放送データを受信する。そして、受信した放送データにおける映像データを表示部１０に表示させるとともに、音声データをスピーカ８から出力させることでデジタル放送の再生機能を実現してもよい。
【００６７】
（音声データ転送機能に関する携帯通信装置のハードウェア構成）
次に、携帯通信装置１が有する上記音声データ転送機能に関する、携帯通信装置１のハードウェア構成について、図４を参照してより詳細に説明する。なお、この図４は、音声データ転送機能に関する携帯通信装置１のハードウェア構成を説明するブロック図である。
【００６８】
図４に示すように上記信号処理部６は、音声データ用Ｄ／Ａ変換機（ＡＵＤＩＯ  ＤＡＣ；digital to analog converter）５１を備えている。ＡＵＤＩＯ  ＤＡＣ５１は、主制御部１４の制御指示に応じて、第２メモリ１３から読み出された試験音声データ５２または音声データ５３を受信すると、該試験音声データ５２または音声データ５３をデジタルデータからアナログデータに変換する。そして、ＡＵＤＩＯ  ＤＡＣ５１は、アナログデータに変換した試験音声データ５２または音声データ５３を音声信号としてＦＭトランスミッタ２２に出力する。
【００６９】
上記ＦＭトランスミッタ２２では、搬送波の周波数を、入力された上記音声信号に応じて変調しており、リミッタ４０、プリエンファシス４１、ループフィルタ（ＬＰＦ）４２、電圧制御発振器（ＶＣＯ；voltage controlled oscillator)４３、ＰＬＬ(phase locked loop)４４、ループフィルタ（ＬＰＦ）４５、１／２分周器（１／２）４６、および電力増幅回路（ＰＡ；Power Amplifier）４７を備えてなる構成である。そして、これら各回路は、主制御部１４からコントロール信号を受け付けたコントロールロジック回路４８によって制御されるように構成されている。
【００７０】
ＦＭトランスミッタ２２では、まず、リミッタ４０によってＡＭ成分を除去し、プリエンファシス４１によって信号の高域を強調する。そして、ＬＰＦ４２を通じてＶＣＯ４３に制御電圧を出力する。ここで、ＬＰＦ４２は、入力された信号の高周波成分・雑音を除去し、ＶＣＯ制御電圧を作るものであり、基準周波数と発振周波数との位相差に応じた電圧の入力を受け、制御電圧をＶＣＯ４３に出力する。ＶＣＯ４３は、制御電圧の変化により発振周波数が変化する自励発信器であり、基準周波数と発振周波数とそれらの位相が常に同期するように制御電圧でコントロールされる。
【００７１】
次に、ＰＬＬ４４は、コントロールロジック回路４８から受け付けた基準信号の周波数と、上記ＶＣＯ４３からの出力信号の周波数とを比較し、差があればＶＣＯ４３への印加電圧を制御して差をなくすというように動作する。
【００７２】
上記比較結果に差がある場合、ＰＬＬ４４は、その差（位相誤差）に対応するような値の電流（平均直流電流）をＬＰＦ４５に出力する。このＬＰＦ４５では、ＰＬＬ４４からの出力電流とそのインピーダンスとからＶＣＯ４３への制御用電圧が生成される。
【００７３】
一方、上記差が無い場合、ＶＣＯ４３は、出力信号を１／２分周器４６に出力する。１／２分周器４６は、上記出力信号を１／２に分周してＰＡ４７に出力すると、ＰＡ４７は、この出力信号の出力を増大させてＦＭＴＸ用アンテナ３を通じてＦＭオーディオ装置２に送信する。
【００７４】
以上のように構成された本実施の形態に係る携帯通信装置１では、ＦＭＴＸ用アンテナ３において、音声信号のＦＭ電波をＦＭオーディオ装置２に送信するようになっている。
【００７５】
ところで、本実施の形態に係る携帯通信装置１では、送信周波数と受信周波数とは以下の関係にある。すなわち、ＦＭオーディオ装置２が受信周波数として設定できる周波数として予め複数候補が設定されている。これに応じて、携帯通信装置１から音声信号を送信する送信周波数も予め複数候補が設定されている。ただし、携帯通信装置１側では、ＦＭオーディオ装置２において設定されている受信周波数が、所定の受信周波数候補のうち、いずれの周波数であるのか不明であるため、同調しない場合が生じる。
【００７６】
そこで、本実施の形態に係る携帯通信装置１は、ＦＭオーディオ装置２に再生を所望する音声データを送信する前に、当該携帯通信装置１の送信周波数とＦＭオーディオ装置２の受信周波数とが同調しているか確認できるように構成されている。
【００７７】
以下において、図１、図５〜図８を参照して、この送信周波数と受信周波数との同調を確認する「音声データ送信前処理」について説明する。
【００７８】
（音声データ送信前処理）
まず、「音声データ送信前処理」に関する携帯通信装置１の構成について図１を参照して説明する。この図１は、本発明の実施形態を示すものであり、「音声データ送信処理」に関する携帯通信装置１のソフトウェア構成を示す図である。
【００７９】
まず、「音声データ送信処理」に関する携帯通信装置１の機能ブロックとして、携帯通信装置１は、ユーザＩＦ部３１、無線部起動指示部３２、音声出力制御部３３、音声確認部３４、および周波数設定部３５を備えてなる構成である。なお、これら機能ブロックは、主制御部１４が例えばＣＰＵによって実現される場合、該ＣＰＵが第２メモリ１３に記憶したプログラム（不図示）を第１メモリ１２に読み出し実行することで実現できる。
【００８０】
ユーザＩＦ部３１は、操作部１１を介してユーザにより入力された操作指示を受け付けるものである。ユーザＩＦ部３１は、操作部１１により受け付けた例えばＦＭトランスミッタ２２の起動指示等の操作指示を無線部起動指示部３２、音声出力制御部３３、および音声確認部３４に出力することができる。
【００８１】
無線部起動指示部３２は、ユーザＩＦ部３１から入力されたＦＭトランスミッタ２２の起動指示に応じて、ＦＭトランスミッタ２２の起動準備および起動制御を行うものである。すなわち、ユーザＩＦ部３１からの上記指示に応じて、無線部起動指示部３２は、ＦＭトランスミッタ２２からＦＭオーディオ装置２に送信する搬送波の送信周波数を決定する。
【００８２】
なお、この送信周波数は予め初期設定で決められているが、操作部１１を介してユーザから入力されるように構成されていてもよい。
【００８３】
そして、この決定した送信周波数で搬送波を出力するようにＦＭトランスミッタ２２を制御する。すなわち、上記無線部起動指示部３２は、上記決定した送信周波数で搬送波を出力する旨の指示を、ＦＭトランスミッタ２２におけるコントロールロジック回路４８に出力する。そして、このコントロールロジック回路４８は、ＰＬＬ４４に対して、この決定された送信周波数を基準信号として出力する。ＰＬＬ４４は、上述したようにコントロールロジック回路４８から受け付けた上記基準信号の周波数と、上記ＶＣＯ４３からの出力信号の周波数とを比較し、差があればＶＣＯ４３への印加電圧を制御して差をなくすというように動作する。このようにして決定した送信周波数で搬送波が出力できる。
【００８４】
音声出力制御部３３は、第２メモリ１３に記憶した試験音声データ５２または音声データ５３を読み出すものである。例えば音声出力制御部３３は、ユーザＩＦ部３１からの指示に応じて、試験音声データ５２の読み出し準備、および試験音声データ５２の読み出しとこの読み出した試験音声データ５２の送信指示を無線部起動指示部３２に行う。
【００８５】
また、音声出力制御部３３は、音声確認部３４からの指示に応じて第２メモリ１３に記憶された試験音声データ５２の読み出しを停止するものでもある。
【００８６】
さらにはまた、音声出力制御部３３は周波数設定部３５から試験音声データ５２を再度読み出すように指示を受け付けた場合、第２メモリ１３から試験音声データ５２を読み出し無線部起動指示部３２に送信するものでもある。
【００８７】
音声確認部３４は、マイク９で取得した音声のデジタルデータを信号処理部６から受信し、該デジタルデータと、第２メモリ１３に記憶した試験音声データ５２との一致度を判定するものである。なお、音声確認部３４は、この一致度の判定においてマイク９で取得した音声のデジタルデータに含まれるノイズ等を考慮するように構成されている。このため、音声確認部３４は、マイク９で取得した音声のデジタルデータと試験音声データ５２とが所定範囲内で類似すれば、両者は一致するものとする。
【００８８】
音声確認部３４は、上記一致度の判定において一致すると判断した場合、音声出力制御部３３に試験音声データ５２の読み出しを停止するように指示するとともに、マイク９の起動を停止させＦＭオーディオ装置２から出力される音声信号の取得を終了させる。
【００８９】
一方、上記音声確認部３４は、上記一致度の判定において一致しないと判断した場合、周波数設定部３５に対して、予め設定されている別の送信周波数で試験音声データ５２をＦＭオーディオ装置２に送信するように指示する。
【００９０】
なお、この音声確認部３４は、操作部１１により入力されたＦＭトランスミッタ２２の起動指示を、ユーザＩＦ部３１を介して受信すると、マイク９を起動させて当該携帯通信装置１の外部において生じた音声を取得できるように制御するように構成されている。
【００９１】
周波数設定部３５は、音声確認部３４からの指示に応じて送信周波数の周波数の設定を変更するものである。周波数設定部３５は、送信周波数情報５１を参照して別の周波数となる送信周波数に切り換える。
【００９２】
上記周波数設定部３５は、送信周波数を他の周波数となる送信周波数に切り換えると、無線部起動指示部３２および音声出力制御部３３に試験音声データ５２の送信処理を再度実行するように指示するものでもある。
【００９３】
（音声データ送信前処理の処理フロー）
次に、本実施の形態に係る携帯通信装置１における「音声データ送信前処理」に関する処理フローについて図５〜図８を参照して説明する。なお、図５は、本発明の実施形態に関するものであり、携帯通信装置１における音声データ送信処前理の一例を示すフローチャートである。また、図６は、本発明の実施形態を示すものであり、音声データ送信前処理における送信準備処理の一例を示すフローチャートである。図７は、本発明の実施形態に関するものであり、音声データ送信前処理における送信処理の一例を示すフローチャートである。図８は、本発明の実施形態を示すものであり、音声データ送信前処理における同調確認処理の一例を示すフローチャートである。
【００９４】
図５に示すようにユーザからの音声データの送信指示を受け付けると、携帯通信装置１では、ＦＭオーディオ装置２に音声データ（試験音声データ５２）を送信できるように、送信すべき音声データ（試験音声データ５２）の読み出し準備等、送信準備処理を実行する（ステップＳ１、これ以降Ｓ１のように称する）。
【００９５】
ところで、上述したように本実施の形態に係る携帯通信装置１では、再生を所望する音声データを送信する前に試験音声データ５２をＦＭオーディオ装置２に送信する構成である。このため、上記した送信準備処理にてまず読み出し準備を行う音声データは、試験音声データ５２となる。
【００９６】
ステップＳ１において送信準備処理を実行すると、携帯通信装置１は、上記試験音声データ５２の送信処理を実行する（Ｓ２）。ＦＭオーディオ装置２は、携帯通信装置１から送信された試験音声データ５２を受信すると、該試験音声データ５２に基づく音声を出力する。このようにして、ＦＭオーディオ装置２において試験音声データ５２が再生処理される。
【００９７】
ＦＭオーディオ装置２において試験音声データ５２が再生されると、携帯通信装置１は、この再生された試験音声データ５２の音声を、マイク９が取得する。そしてこのようにマイク９によって音声を取得すると、携帯通信装置１はマイク９により取得された音声の音声データと、ＦＭオーディオ装置２に送信した試験音声データ５２とを比較して両者の一致を判断する。このように送信した試験音声データ５２とマイク９により取得した音声データとの一致度を判断することで、携帯通信装置１は、当該携帯通信装置１における試験音声データ５２の送信周波数と、ＦＭオーディオ装置２における試験音声データ５２の受信周波数との同調を確認する（Ｓ３）。
【００９８】
ここで上記ステップＳ１〜Ｓ３による各処理によって実現される「音声データ送信前処理」の詳細について説明する。
【００９９】
図６に示すように、上記ステップＳ１にて示した送信準備処理は、携帯通信装置１において以下のように実行される。
【０１００】
まず、携帯通信装置１において、ユーザから操作部１１を通じて操作指示を受け付けると（Ｓ１１）、ユーザＩＦ（インターフェース）部３１が、この受け付けた操作指示の内容を確認する。そして、ユーザＩＦ部３１は、この操作指示がＦＭオーディオ装置２への送信指示か否か、すなわち、ＦＭトランスミッタ２２の起動の要否を判定する（Ｓ１２）。
【０１０１】
ここで、操作部１１が受け付けたユーザからの操作指示がＦＭトランスミッタ２２の起動を指示するものではない場合（Ｓ１２において「ＮＯ」）、「音声データ送信前処理」は終了する
一方、操作部１１が受け付けたユーザからの操作指示がＦＭトランスミッタ２２の起動を指示するものである場合（Ｓ１２において「ＹＥＳ」）、音声出力制御部３３に試験音声データ５２の読み出し準備を指示するとともに（Ｓ１３）、無線部起動指示部３２にＦＭトランスミッタ２２により試験音声データ５２をＦＭオーディオ装置２に送信できるように送信準備を行うように指示す（Ｓ１４）。
【０１０２】
すなわち、上記ステップＳ１３では、音声出力制御部３３がユーザＩＦ部３１からの指示に応じて、第２メモリ１３から試験音声データ５２の読み出し準備を行う。この読み出し準備としては、例えば、音声出力制御部３３による第２メモリ１３へのアクセス制御、該第２メモリ１３における読み出しデータ（試験音声データ５２）の指定等が挙げられる。
【０１０３】
一方ステップＳ１４では、無線部起動指示部３２がユーザＩＦ部３１からの指示に応じてＦＭトランスミッタ２２を制御して、ＦＭトランスミッタ２２の起動準備を行う。このＦＭトランスミッタ２２の起動準備とは、例えば、無線部起動指示部３２によるコントロールロジック回路４８に対するＦＭトランスミッタ２２の起動指示、該コントロールロジック回路４８への送信周波数の設定指示等が挙げられる。
【０１０４】
以上のようにして本実施の形態に係る携帯通信装置１における上述したステップＳ１の送信準備処理を実行することができる。続くステップＳ２にて示した送信処理は、図７に示すように、上記携帯通信装置１において以下のように実行される。
【０１０５】
すなわち、ステップＳ１において、送信準備処理が完了すると、まず音声出力制御部３３が第２メモリ１３から試験音声データ５２を読み出し（Ｓ２１）、無線部起動指示部３２に送信する。そして、音声出力制御部３３は、無線部起動指示部３２に上記試験音声データ５２の送信を指示する。
【０１０６】
無線部起動指示部３２は、音声出力制御部３３からの指示に応じて、上記試験音声データを、ステップＳ１４にて設定した送信周波数にて送信するように決定する（Ｓ２２）。そして、無線部起動指示部３２は、ＦＭトランスミッタ２２に上記試験音声データ５２を出力するとともに、上記決定した送信周波数にて該試験音声データ５２を送信するように指示する。
【０１０７】
上記無線部起動指示部３２からの送信周波数の指示は、ＦＭトランスミッタ２２におけるコントロールロジック回路４８に出力される。そして、このコントロールロジック回路４８は、ＰＬＬ４４に対して、この決定された送信周波数を基準信号として出力する。ＰＬＬ４４は、上述したようにコントロールロジック回路４８から受け付けた上記基準信号の周波数と、上記ＶＣＯ４３からの出力信号の周波数とを比較し、差があればＶＣＯ４３への印加電圧を制御して差をなくすというように動作する。そして、上記ステップＳ２２にて決定した送信周波数で試験音声データ５２の音声信号を、ＦＭＴＸ用アンテナ３を通じてＦＭオーディオ装置２に送信する（Ｓ２３）。
【０１０８】
以上のようにして本実施の形態に係る携帯通信装置１における上述したステップＳ２の送信処理を実行することができる。そして、携帯通信装置１の送信周波数とＦＭオーディオ装置２の受信周波数とが同調している場合、ステップＳ２にて送信された試験音声データ５２の音声信号を、ＦＭオーディオ装置２は受信することができる。そして、ＦＭオーディオ装置２は、この受信した音声信号をデジタル形式の音声データに変換し不図示のスピーカから出力する。
【０１０９】
しかしながら、同調していない場合、ＦＭオーディオ装置２は試験音声データ５２の音声信号を正しく受信でいないこととなり、ＦＭオーディオ装置２からは上記試験音声データに基づく音声が出力されないこととなる。
【０１１０】
そこで本実施の形態に係る携帯通信装置１は、このようなＦＭオーディオ装置２の出力状態の相違を利用して、続くステップＳ３にて示す同調確認処理により、上記送信周波数と受信周波数とが同調しているか否かを確認できるように構成されている。
【０１１１】
すなわち、マイク９がＦＭオーディオ装置２から出力される音声の入力を受け付ける（Ｓ３１）。そして、この受け付けた音声を信号処理部６がアナログデータからデジタルデータに変換し内部処理可能なデータ形式とする（Ｓ３２）。そして、信号処理部６は、このデジタルデータを音声確認部３４に入力する。
【０１１２】
音声確認部３４は、信号処理部６から上記デジタルデータの入力を受けると、音声出力制御部３３に指示して第２メモリ１３から試験音声データ５２を読み出すように指示する。この音声確認部３４からの指示に応じて、音声出力制御部３３は、第２メモリ１３から試験音声データ５２を読み出し音声確認部３４に出力する（Ｓ３３）。
【０１１３】
音声確認部３４は、音声出力制御部３３から入力され試験音声データ５２と、マイク９により受け付けた音声（入力音声）のデジタルデータとを比較し、両者の一致度を確認する（Ｓ３４）。ここで、音声確認部３４が一致すると判定した場合（ステップＳ３４において「ＹＥＳ」）、音声確認部３４は、音声出力制御部３３に試験音声データ５２の送信を停止するように指示する。この指示に応じて音声出力制御部３３は、試験音声データ５２の読み出しを停止し無線部起動停止部３２への試験音声データ５２の出力を停止する。さらにまた、音声確認部３４は、マイク９を制御して音声入力を停止させる（Ｓ３７）。
【０１１４】
一方、ステップＳ３４において「ＮＯ」の場合、音声確認部３４は周波数設定部３５に指示して送信周波数の周波数を他の送信周波数に切り換えるように指示する。この音声確認部３４からの指示に応じて周波数設定部３５は、送信周波数情報５１を参照して送信周波数として他の周波数を設定する。そして、周波数設定部３５は、送信周波数がこの新たに設定した周波数となるように、ＦＭトランスミッタ２２を制御する。すなわち、周波数設定部３５は、新たに設定した周波数を基準信号としてコントロールロジック回路４８に送信する。
【０１１５】
このようにして、周波数設定部３５は、送信周波数の切り替えを実行する（Ｓ３５）。そして、携帯通信装置１では、新たに設定した周波数の送信周波数により試験音声データ５２を出力するようにステップＳ２からの処理を、上記送信周波数と受信周波数とが同調するまで繰り返される。
【０１１６】
すなわち、周波数設定部３５は、送信周波数の設定を新たな送信周波数の設定に切り換えると、無線部起動指示部３２および音声出力制御部３３に試験音声データ５２の送信処理をこの新たな送信周波数で再度実行するように指示する。
【０１１７】
以上のようにして、本実施の形態に係る携帯通信装置１は、上述したステップＳ３の処理を実行することができる。
【０１１８】
なお、本実施の形態に係る携帯通信装置１では、「音声データ送信前処理」において送信周波数と受信周波数との同調を確認するために試験音声データ５２をＦＭオーディオ装置２に出力する構成であった。そして、ＦＭオーディオ装置２が、この試験音声データ５２に基づく音声を出力し、携帯通信装置１がこの出力された音声と送信した試験音声データ５２の音声とが一致するか否かを確認し同調確認処理を実行する構成であった。
【０１１９】
しかしながら、本実施の形態に係る携帯通信装置１における同調確認処理はこれに限定されるものではない。
【０１２０】
例えば、ＦＭオーディオ装置２は、送信周波数と受信周波数とが同調していない場合、ホワイトノイズを出力し、同調する場合にこのホワイトノイズが出力しないように構成されている。
【０１２１】
このような構成において、携帯通信装置１は、上記試験音声データ５２を送信せず、上記ＦＭＴＸ用アンテナ３を介して、送信周波数として設定されている周波数の搬送波のみを送信する。そして、この搬送波の送信後におけるＦＭオーディオ装置２の出力音声信号をマイク９で受け付ける。
【０１２２】
そして受け付けた音声信号がホワイトノイズである場合、音声確認部３４は、上記送信周波数と上記受信周波数とが同調していないと判定する。一方、音声確認部３４は、受け付けた音声信号にホワイトノイズが含まれていない場合は、上記送信周波数と上記受信周波数とが同調していると判定する構成であってもよい。
【０１２３】
この場合、音声確認部３４が受け付けた音声信号にホワイトノイズが含まれているか否かを判定するため、第２メモリ１３には、試験音声データ５２の代わりにＦＭオーディオ装置が出力するホワイトノイズの音声波形データを記憶しておく。
【０１２４】
また、本実施の形態に係る携帯通信装置１では、周波数設定部３５が送信周波数情報５１を参照して送信周波数の切り換えを行う構成であったがこれに限定されるものではない。例えば、音声確認部３４がマイク９にて取得した音声のデジタルデータと、試験音声データとが一致しないと判定した場合、ユーザに新たな送信周波数の入力を表示部１０において促す。そして、操作部１１から入力された送信周波数についての情報を、ユーザＩＦ部３１を介して周波数設定部３５が受信する。そして、周波数設定部３５がこの受信した送信周波数にて試験音声データ５２を送信するようにＦＭトランスミッタ２２を制御する構成としてもよい。
【０１２５】
また、本実施の形態に係る携帯通信装置１は、ＦＭトランスミッタ２２を内蔵する構成であったが、これに限定されるものではない。例えば、ＦＭトランスミッタ２２と携帯通信装置１とはそれぞれ別体で設けられた構成であってもよい。ＦＭトランスミッタ２２と携帯通信装置１とをそれぞれ別体とする場合、両者の間は有線または無線により結合され、携帯通信装置１における主制御部１４からの制御指示および送信すべき音声データ等がＦＭトランスミッタ２２に送信されるように構成される。
【０１２６】
また、ＦＭトランスミッタ２２自身が、機能ブロックとしてユーザＩＦ部３１、無線部起動指示部３２、音声出力制御部３３、音声確認部３４、および周波数設定部３５を有する主制御部１４と、マイク９と、信号処理部６と、操作部１１と、第２メモリ１３とを備える構成であってもよい。このように構成される場合、ＦＭトランスミッタ２２は、周波数の同調確認処理可能なＦＭトランスミッタとなる。
【０１２７】
最後に、携帯通信装置１の各ブロック、特にユーザＩＦ部３１、無線部起動指示部３２、音声出力制御部３３、音声確認部３４、および周波数設定部３５は、ハードウェアロジックによって構成してもよいし、次のようにＣＰＵを用いてソフトウェアによって実現してもよい。
【０１２８】
すなわち、携帯通信装置１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである携帯通信装置１の制御プログラムのプログラムコード（実行形式プログラム、中間コードプログラム、ソースプログラム）をコンピュータで読み取り可能に記録した記録媒体を、上記携帯通信装置１に供給し、そのコンピュータ（またはＣＰＵやＭＰＵ）が記録媒体に記録されているプログラムコードを読み出し実行することによっても、達成可能である。
【０１２９】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１３０】
また、携帯通信装置１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１３１】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１３２】
本発明に係る送信装置は、送信した搬送波に応じて受信装置から出力される音声信号に基づき、受信装置において設定された受信周波数と同調するように送信周波数を設定できる構成である。このため、所定の周波数帯で周波数変換した搬送波により音声信号等を送信する送信装置に広く適用できる。
【図面の簡単な説明】
【０１３３】
【図１】本発明の実施形態を示すものであり、「音声データ送信処理」に関する携帯通信装置のソフトウェア構成を示す図である。
【図２】本発明の実施形態を示すものであり、再生システムの概略構成を示す図である。
【図３】本実施の形態に係る携帯通信装置のハードウェア構成を示すブロック図である。
【図４】本発明の実施形態を示すものであり、音声データ転送機能に関する携帯通信装置のハードウェア構成を説明するブロック図である。
【図５】本発明の実施形態に関するものであり、携帯通信装置における音声データ送信処前理の一例を示すフローチャートである。
【図６】本発明の実施形態を示すものであり、音声データ送信前処理における送信準備処理の一例を示すフローチャートである。
【図７】本発明の実施形態に関するものであり、音声データ送信前処理における送信処理の一例を示すフローチャートである。
【図８】本発明の実施形態を示すものであり、音声データ送信前処理における同調確認処理の一例を示すフローチャートである。
【符号の説明】
【０１３４】
１    携帯通信装置（送信装置）
２    ＦＭオーディオ装置（受信装置）
５    無線部（送信部）
９    マイク（取得部）
１３  第２メモリ（周波数情報記憶装置）
２２  ＦＭトランスミッタ（送信部）
３１  ユーザＩＦ部（指示手段）
３４  音声確認部（判定手段）
３５  周波数設定部（変更指示手段）
５１  送信周波数情報（周波数情報）
５２  試験音声データ（確認用音声信号）
５３  音声データ
１００再生システム
【図１】
2008187301.tif 000003
【図２】
2008187301.tif 000004
【図３】
2008187301.tif 000005
【図４】
2008187301.tif 000006
【図５】
2008187301.tif 000007
【図６】
2008187301.tif 000008
【図７】
2008187301.tif 000009
【図８】
2008187301.tif 000010